(57)【要約】【課題】自然災害等のアクシデントが発生しても同種の細胞を全て失うリスクを低減することが可能な細胞保管システム等を提供すること。【解決手段】細胞保管システムＳは、複数の容器に設けられた各記録媒体から容器ＩＤを読み取る装置１１と、装置１１から読み取った複数の容器ＩＤを送信する装置１０と、装置１０から受信した複数の容器ＩＤを２以上の装置２２のＩＤに割り当て、容器ＩＤと該容器ＩＤを割り当てた装置２２のＩＤを関連付けてデータベースに記録する装置４０と、装置２２に保管しようとする容器に設けられた記録媒体から容器ＩＤを読み取る装置２１と、装置２１から読み取った容器ＩＤを装置４０に送信する装置２０と、を備え、装置４０は、データベースに記録した情報に基づいて、容器を保管しようとする装置２２のＩＤが、装置２０から受信した容器ＩＤに関連付けて記録された装置２２のＩＤ、と一致するか否かを判定する構成を有している。【選択図】図１
2019071091.tif 000002
【特許請求の範囲】
【請求項１】
同種の細胞が入れられた複数の容器を２以上の細胞保管装置に分散させて保管するための細胞保管システムであって、
前記複数の容器にそれぞれ付与された容器識別情報を取得する容器識別情報取得手段と、
前記容器識別情報を、２以上の前記細胞保管装置にそれぞれ付与された細胞保管装置識別情報に割り当てる割当手段と、
前記容器識別情報と、該容器識別情報を割り当てた細胞保管装置識別情報と、を関連付けてデータベースに記録させる記録制御手段と、
細胞保管装置に保管しようとする容器に付与された前記容器識別情報を、前記容器に設けられた記録媒体から取得する保管容器識別情報取得手段と、
前記記録制御手段が関連付けてデータベースに記録させた情報に基づいて、前記容器識別情報が付与された容器を保管しようとする細胞保管装置に付与された細胞保管装置識別情報が、前記保管容器識別情報取得手段が取得した前記容器識別情報に関連付けて記録された前記細胞保管装置識別情報と一致するか否かを判定する判定手段と、
を備え、
前記割当手段が、
前記容器に設けられた記録媒体から、前記容器識別情報が付与された容器に入れられた細胞の保管環境条件情報を取得し、
当該取得した保管環境条件情報に基づいて、前記容器が保管可能な２以上の細胞保管装置を抽出し、
抽出した２以上の前記細胞保管装置の細胞保管装置識別情報に、少なくとも１つの容器識別情報を割り当てる、又は、各容器識別情報をそれぞれ異なる細胞保管装置識別情報に割り当てることを特徴とする細胞保管システム。
【請求項２】
請求項１に記載の細胞保管システムにおいて、
前記割当手段は、
前記記録媒体から、前記容器識別情報が付与された容器に入れられた細胞の保管環境条件情報及び前記細胞保管装置の空き状況情報を取得し、
当該取得した細胞の保管環境条件情報及び前記細胞保管装置の空き状況情報に基づいて、前記複数の容器が保管可能な２以上の細胞保管装置を抽出し、
抽出した２以上の前記細胞保管装置の細胞保管装置識別情報に、少なくとも１つの容器識別情報を割り当てる、又は、各容器識別情報をそれぞれ異なる細胞保管装置識別情報に割り当てる、細胞保管システム。
【請求項３】
請求項１又は２に記載の細胞保管システムにおいて、
前記割当手段は、
前記記録媒体から、前記容器識別情報が付与された容器に入れられた細胞の保管環境条件情報及び前記細胞保管装置の空き状況情報を取得し、
当該取得した細胞の保管環境条件情報、及び前記細胞保管装置の空き状況情報に基づいて、前記複数の容器が保管可能な細胞保管装置を抽出し、
抽出した前記細胞保管装置が２以上存在するか否かを判定し、前記細胞保管装置が２以上存在しないと判定した場合には、同種の細胞を入れた前記複数の容器を分散して保管することができないことを通知する、細胞保管システム。
【請求項４】
同種の細胞が入れられた複数の容器を２以上の細胞保管装置に分散させて保管するための細胞保管システムを、
前記複数の容器にそれぞれ付与された容器識別情報を取得する容器識別情報取得手段、
前記容器識別情報を、２以上の前記細胞保管装置にそれぞれ付与された細胞保管装置識別情報に割り当てる割当手段、
前記容器識別情報と、該容器識別情報を割り当てた細胞保管装置識別情報と、を関連付けてデータベースに記録させる記録制御手段、
細胞保管装置に保管しようとする容器に付与された前記容器識別情報を取得する保管容器識別情報取得手段、及び、
前記記録制御手段が関連付けてデータベースに記録させた情報に基づいて、前記容器識別情報が付与された容器を保管しようとする細胞保管装置に付与された細胞保管装置識別情報が、前記保管容器識別情報取得手段が取得した前記容器識別情報に関連付けて記録された前記細胞保管装置識別情報と一致するか否かを判定する判定手段、
として機能させ、
前記割当手段が、
前記容器に設けられた記録媒体から、前記容器識別情報が付与された容器に入れられた細胞の保管環境条件情報を取得し、
当該取得した保管環境条件情報に基づいて、前記容器が保管可能な２以上の細胞保管装置を抽出し、
抽出した２以上の前記細胞保管装置の細胞保管装置識別情報に、少なくとも１つの容器識別情報を割り当てる、又は、各容器識別情報をそれぞれ異なる細胞保管装置識別情報に割り当てることを特徴とするプログラム。
【請求項５】
同種の細胞が入れられた複数の容器を２以上の細胞保管装置に分散させて保管するための細胞保管システムであって、
細胞保管装置に保管しようとする容器に設けられた記録媒体から、前記容器に付与された容器識別情報を読み取る記録媒体読取装置と、
前記複数の容器にそれぞれ付与された前記容器識別情報に基づいて各容器を保管する細胞保管装置の保管先を管理する保管管理装置と、
を備え、
前記保管管理装置が、
前記容器識別情報を取得する容器識別情報取得手段と、
前記容器識別情報を、２以上の前記細胞保管装置にそれぞれ付与された細胞保管装置識別情報に割り当てる割当手段と、
前記容器識別情報と、該容器識別情報を割り当てた細胞保管装置識別情報と、を関連付けてデータベースに記録させる記録制御手段と、
細胞保管装置に保管しようとする容器に設けられた前記記録媒体から、前記記録媒体読取装置によって読み取られた前記容器識別情報を取得する保管容器識別情報取得手段と、
前記記録制御手段が関連付けてデータベースに記録させた情報に基づいて、前記容器識別情報が付与された容器を保管しようとする細胞保管装置に付与された細胞保管装置識別情報が、前記保管容器識別情報取得手段が取得した前記容器識別情報に関連付けて記録された前記細胞保管装置識別情報と一致するか否かを判定する判定手段と、
を備え、
前記割当手段が、
前記容器に設けられた記録媒体から、前記容器識別情報が付与された容器に入れられた細胞の保管環境条件情報を取得し、
当該取得した保管環境条件情報に基づいて、前記容器が保管可能な２以上の細胞保管装置を抽出し、
抽出した２以上の前記細胞保管装置の細胞保管装置識別情報に、少なくとも１つの容器識別情報を割り当てる、又は、各容器識別情報をそれぞれ異なる細胞保管装置識別情報に割り当てることを特徴とする細胞保管システム。
【請求項６】
同種の細胞が入れられた複数の容器を２以上の細胞保管装置に分散させて保管するための細胞保管システムによって実行される細胞保管方法であって、
前記複数の容器にそれぞれ付与された容器識別情報を取得するステップと、
前記容器識別情報を、２以上の前記細胞保管装置にそれぞれ付与された細胞保管装置識別情報に割り当てるステップと、
前記容器識別情報と、該容器識別情報を割り当てた細胞保管装置識別情報と、を関連付けてデータベースに記録させるステップと、
細胞保管装置に保管しようとする容器に付与された前記容器識別情報を、前記容器に設けられた記録媒体から取得するステップと、
前記データベースに関連付けて記録させた情報に基づいて、前記容器識別情報が付与された容器を保管しようとする細胞保管装置に付与された細胞保管装置識別情報が、細胞保管装置に保管しようとする容器に付与された前記容器識別情報に関連付けて記録された前記細胞保管装置識別情報と一致するか否かを判定するステップと、
を含み、
前記容器識別情報を細胞保管装置識別情報に割り当てる場合に、
前記容器に設けられた記録媒体から、前記容器識別情報が付与された容器に入れられた細胞の保管環境条件情報を取得し、
当該取得した保管環境条件情報に基づいて、前記容器が保管可能な２以上の細胞保管装置を抽出し、
抽出した２以上の前記細胞保管装置の細胞保管装置識別情報に、少なくとも１つの容器識別情報を割り当てる、又は、各容器識別情報をそれぞれ異なる細胞保管装置識別情報に割り当てることを特徴とする細胞保管方法。
【発明の詳細な説明】
【技術分野】
【０００１】
本発明は、細胞を分散して保管するためのシステム、方法、及びプログラム等に関する。
【背景技術】
【０００２】
再生医療や不妊治療のために、生体から採取した細胞を保管するシステムが知られている（例えば、特許文献１）。特許文献１には、生体から採取した細胞に識別情報を付与して受入、分離、分化誘導、培養、保存、検査、及び、出荷のうち少なくとも２以上のプロセスを含む一連のプロセスを行う際に細胞を管理する細胞管理システムが提案されている。
【先行技術文献】
【特許文献】
【０００３】
【特許文献１】特開２００５−３３２０４６号公報
【発明の概要】
【発明が解決しようとする課題】
【０００４】
しかしながら、特許文献１で提案されたシステムでは、同種の細胞が入れられた複数の容器を分散して保管先を割り当てる技術を備えていないため、自然災害、細胞を保管する装置の故障、停電等のインフラ断絶、人為的なミス等のアクシデントが発生した場合に、同一の細胞保管装置に保管された複数の容器における同種の細胞を全て失うというリスクが高い。
【０００５】
本発明は、上述の課題を解決するためになされたものであって、その目的は、自然災害、細胞を保管する装置の故障、停電等のインフラ断絶、人為的なミス等のアクシデントが発生しても同種の細胞を全て失うリスクを低減することが可能な細胞保管システム等を提供することにある。
【課題を解決するための手段】
【０００６】
上述した課題を解決するため、本発明に係る細胞保管システム等は、同種の細胞が入れられた複数の容器を２以上の細胞保管装置に分散させて保管するための細胞保管システム等であって、前記複数の容器にそれぞれ付与された容器識別情報を取得する容器識別情報取得手段と、前記容器識別情報を、２以上の前記細胞保管装置にそれぞれ付与された細胞保管装置識別情報に割り当てる割当手段と、前記容器識別情報と、該容器識別情報を割り当てた細胞保管装置識別情報と、を関連付けてデータベースに記録させる記録制御手段と、細胞保管装置に保管しようとする容器に付与された前記容器識別情報を取得する保管容器識別情報取得手段と、前記記録制御手段が関連付けてデータベースに記録させた情報に基づいて、前記容器識別情報が付与された容器を保管しようとする細胞保管装置に付与された細胞保管装置識別情報が、前記保管容器識別情報取得手段が取得した前記容器識別情報に関連付けて記録された前記細胞保管装置識別情報と一致するか否かを判定する判定手段と、を備える構成を有している。
【発明の効果】
【０００７】
本発明に係る細胞保管システム等は、自然災害、細胞を保管する装置の故障、停電等のインフラ断絶、人為的なミス等のアクシデントが発生しても同種の細胞を全て失うリスクを低減することができる。
【図面の簡単な説明】
【０００８】
【図１】本発明に係る細胞保管システムの一実施形態の構成を示す構成図である。
【図２】一実施形態の細胞保管システムに用いる管理者端末装置の構成を示すブロック図である。
【図３】一実施形態の細胞保管システムに用いる細胞保管端末装置の構成を示すブロック図である。
【図４】一実施形態の細胞保管システムに用いるサーバ装置の構成を示すブロック図である。
【図５】一実施形態におけるサーバ装置内の細胞保管装置データベースに記録される、細胞保管装置ＩＤとその細胞保管装置ＩＤに関連付けた各種情報の一例を示す図である。
【図６】一実施形態におけるサーバ装置内の容器データベースに記録される、容器ＩＤとその容器ＩＤに関連付けた各種情報の一例を示す図である。
【図７】一実施形態の細胞保管システムにおいて実行される、同一の容器群ＩＤが設定された複数の容器ＩＤを２以上の細胞保管装置に割り当てるための処理を示すフローチャートである。
【図８】一実施形態の細胞保管システムにおいて実行される記録媒体を発行するための処理を示すフローチャート（その１）である。
【図９】一実施形態の細胞保管システムにおいて実行される画像データを出力するための処理を示すフローチャート（その１）である。
【図１０】一実施形態の細胞保管システムにおいて実行される、容器の保管場所に問題がないかどうかを判定するための処理を示すフローチャートである。
【図１１】一実施形態の細胞保管システムにおいて実行される画像データを出力するための処理を示すフローチャート（その２）である。
【図１２】一実施形態の細胞保管システムにおいて実行される、細胞の培養物が入れられた新たな容器に新たな容器ＩＤを設定するための処理を示すフローチャートである。
【図１３】一実施形態の細胞保管システムにおいて実行される記録媒体を発行するための処理を示すフローチャート（その２）である。
【発明を実施するための形態】
【０００９】
以下、本発明に係る実施形態について、図面を参照しながら説明する。なお、以下の実施形態は、管理者端末装置と、２以上の細胞保管装置と、管理者端末装置及び２以上の細胞保管装置とネットワークを介して接続されるサーバ装置と、を有する細胞保管システムに対し、本発明に係る細胞保管システム及び細胞保管方法を適用した場合の実施形態である。ただし、本発明は、その技術的思想を含む範囲内で以下の実施形態に限定されない。
【００１０】
［１］細胞保管システムの構成及び概要
まず、図１を用いて本実施形態における細胞保管システムＳの構成及び概要について説明する。なお、図１は、本実施形態における細胞保管システムＳの構成を示すシステム構成図である。図１においては、２つの管理者端末装置１０を示しているが、管理者端末装置１０は１つでもあっても、２以上であっても構わない。また、図１においては、２つの細胞保管端末装置２０を示しているが、細胞保管端末装置２０は２つであっても、３以上であっても構わない。
【００１１】
本実施形態の細胞保管システムＳは、病院や研究施設等の依頼者（発送元）から送付されてきた各種細胞が保持された複数の容器を適した環境で複数に分けて保存管理するためのシステムである。
【００１２】
特に、本実施形態の細胞保管システムＳは、病院や研究施設等の依頼者から保管を依頼された、同一個体から同時期に採取した、卵細胞、精細胞、受精卵細胞、線維芽細胞、造血幹細胞、神経幹細胞等の同種の細胞や、同一個体の卵子から同時期に採取した卵子と、同一個体の精巣から同時期に採取した精子とを体外受精させた受精卵細胞、培養細胞、ハイブリドーマ等の同種の細胞が入れられた複数の容器を、異なる施設や異なる部屋、又は同一の部屋等に設置された複数の細胞保管装置２２に分散させて保管するためのシステムである。なお、「同種」とは分類学上種類が同じであること、より具体的には、形態や特異的マーカーが同じであることを意味する。「特異的マーカー」とは、異なる細胞の種類を識別するための指標であって、各種細胞において、特異的に発現するメッセンジャーＲＮＡ（ｍＲＮＡ）、特異的に産生されるペプチド又はタンパク質等を意味する。
【００１３】
具体的には、本実施形態の細胞保管システムＳは、図１に示すように、依頼者から送付されてきた同種の細胞を管理する管理者が所持する複数の管理者端末装置１０と、同種の細胞を保存して管理する細胞保管装置２２の周辺に設置された細胞保管端末装置２０と、ネットワーク３０と、サーバ装置４０と、ネットワーク３０に接続された基地局ＢＳと、を有している。
【００１４】
ネットワーク３０は、例えば、携帯電話網を含む公衆電話回線網（以下、「長距離通信ネットワーク」という）、近距離無線ネットワーク等のＩＰ（Ｉｎｔｅｒｎｅｔ  Ｐｒｏｔｏｃｏｌ）ネットワーク、又は、その双方が相互接続されて構成されている。ただし、当該ネットワーク３０の構成は、これに限られない。
【００１５】
管理者端末装置１０は、例えば、パーソナルコンピュータ（ＰＣ）、タブレット型情報端末装置、スマートフォン、又はワークステーション等の情報通信端末装置である。特に、管理者端末装置１０は、記録媒体読取装置１１と記録媒体発行装置１２に接続され、
（１Ａ−１）同種の細胞が入れられた複数の容器の保管を依頼者から依頼された場合に、複数の容器に設けられた記録媒体から、複数の容器にそれぞれ付与された容器識別情報（以下、「容器ＩＤ」という。）及び該容器ＩＤが付与された容器に入れられた細胞の保管環境条件に関する細胞保管環境条件情報等の情報を読み取る処理、
（１Ａ−２）同種の細胞が入れられた複数の容器に対して設定された容器群識別情報（以下、「容器群ＩＤ」という。）等の情報を記録した記録媒体を発行（印刷）する処理（以下、「管理者端末装置１０の記録媒体発行処理」という。）、
などを実行する構成を有している。
【００１６】
なお、容器ＩＤ、細胞保管環境条件情報等の情報が記録された記録媒体は、依頼者が容器に張り付けて容器に設けてもよいし、依頼者の依頼に基づいて管理者が容器に張り付けて容器に設けてもよい。また、細胞の保管環境条件は、例えば、細胞の保管温度、細胞の保管湿度、細胞の保管ＣＯ２濃度等を挙げることができるが、これらに制限されるものではない。
【００１７】
さらに、記録媒体は、例えば、バーコード、２次元バーコード、英数文字コード等のコードが記録されたラベルであり、記録媒体には、容器ＩＤ等の情報が記録されている。そして、記録媒体読取装置１１は、例えば、容器ＩＤ等の情報を含むバーコード又は２次元バーコードを読取可能なコードリーダーである。その他、
（ア）容器ＩＤ等の情報を含む英数文字コード等を撮影して画像データを作成するカメラ等の撮像機と、
（イ）該画像データから英数文字コードを読み取るＯＣＲ機と
を備える装置であってもよい。また、記録媒体発行装置１２は、例えば、バーコード、２次元バーコード、英数文字コード等のコードをラベルに印刷する印刷装置等である。
【００１８】
一方、管理者端末装置１０は、サーバ装置４０との間で通信を行うために、予め設定された管理者端末装置１０毎に固有の識別情報（以下、「管理者端末装置ＩＤ」という。）を用いる。また、管理者端末装置１０は、ＸＭＬ（ｅＸｔｅｎｓｉｂｌｅ  Ｍａｒｋｕｐ  Ｌａｎｇｕａｇｅ）等のマークアップ言語によって構築されたブラウザ機能を有し、当該ブラウザ機能を用いて管理者の操作入力指示及び操作確認を実行するとともに、当該ブラウザ機能を介してサーバ装置４０とのデータの授受等を実行する。
【００１９】
そして、管理者端末装置１０は、
（１Ｂ−１）記録媒体読取装置１１によって、同種の細胞が入れられた複数の容器（以下、単に「複数の容器」という。）にそれぞれ設けられた各記録媒体から読み取られた各容器ＩＤ及び細胞保管環境条件情報等の情報をサーバ装置４０に送信し、
（１Ｂ−２）当該送信した各容器ＩＤ及び細胞保管環境条件情報等の情報に応じて、各容器を保管させる細胞保管装置２２の設置場所の情報、あるいは、各容器を分散して保管することができない旨の通知をサーバ装置４０から受信し、
（１Ｂ−３）受信した情報又は通知を管理者に閲覧可能に表示する処理を実行する、
構成を有している。
【００２０】
細胞保管端末装置２０は、例えば、パーソナルコンピュータ（ＰＣ）、タブレット型情報端末装置、スマートフォン、又はワークステーション等の情報通信端末装置である。特に、細胞保管端末装置２０は、記録媒体読取装置２１と記録媒体発行装置２３に接続され、
（２Ａ−１）細胞保管装置２２に保管しようとする容器に設けられた記録媒体から、当該容器に付与された容器ＩＤ等の情報を読み取る処理、あるいは、細胞保管装置２２から取り出した場合に、当該細胞保管装置２２に戻そうとする当該容器に設けられた記録媒体から、当該容器に付与された容器ＩＤ等の情報を読み取る処理、及び、
（２Ａ−２）細胞の培養物を入れた新たな容器に設定された新たな容器ＩＤ、及び培養物の保管環境条件情報等の情報を記録した記録媒体を発行（印刷）する処理、
などを実行する構成を有している。
【００２１】
また、細胞保管端末装置２０は、管理者端末装置１０と同様に、マークアップ言語によって構築されたブラウザ機能を有し、当該ブラウザ機能を用いて作業者の操作入力指示及び操作確認を実行するとともに、予め設定された細胞保管端末装置２０毎に固有の識別情報（以下、「細胞保管端末装置ＩＤ」という。）を用いつつ、当該ブラウザ機能を介してサーバ装置４０とのデータの授受等を実行する構成を有している。
【００２２】
そして、細胞保管端末装置２０は、
（２Ｂ−１）記録媒体読取装置２１によって、細胞保管装置２２に保管しようとする容器に設けられた記録媒体、あるいは、細胞保管装置２２から取り出した容器を戻す際に当該容器に設けられた記録媒体から読み取った容器ＩＤ、及び該細胞保管装置２２に付与された細胞保管装置２２毎に固有の細胞保管装置識別情報（以下、「細胞保管装置ＩＤ」という。）等の情報をサーバ装置４０に送信し、
（２Ｂ−２）当該送信した容器ＩＤ及び細胞保管装置ＩＤ等の情報に応じて、容器の保管場所に問題ない旨、あるいは、容器の保管場所に問題がある旨の通知をサーバ装置４０から受信し、
（２Ｂ−３）受信した通知を作業者に閲覧可能に表示する処理を実行する、
構成を有している。
【００２３】
また、細胞保管端末装置２０は、
（２Ｃ−１）記録媒体読取装置２１によって容器に設けられた記録媒体から容器ＩＤ等の情報を読み取る操作、並びに容器から細胞を取り出して培養したことを示す情報及び細胞の培養物の保管環境条件の情報の入力操作等によって、容器ＩＤ、容器から細胞を取り出して培養したことを示す情報、及び培養物の保管環境条件情報等の情報を検知した場合にこれらの情報をサーバ装置４０に送信し、
（２Ｃ−２）当該送信した情報に応じて、細胞の培養物を入れた新たな容器に設定された新たな容器ＩＤ、及び該培養物の保管環境条件情報等の情報をサーバ装置４０から受信し、
（２Ｃ−３）受信した情報を記録した記録媒体を発行（印刷）する処理（以下、「細胞保管端末装置２０の記録媒体発行処理」という。）を実行する、
構成を有している。
【００２４】
細胞保管装置２２は、細胞を保管する装置である。例えば、細胞保管装置２２は、細胞を培養する培養装置、細胞を冷凍保管する液体窒素タンクやディープフリーザ等の冷凍庫、細胞を冷蔵保管する冷蔵庫等である。なお、本実施形態においては、細胞保管端末装置２０と細胞保管装置２２を別々に設けているが、細胞保管装置２２に細胞保管端末装置２０の機能を設けて一体としてもよい。
【００２５】
サーバ装置４０は、管理者端末装置１０又は細胞保管端末装置２０と連動し、複数の容器を２以上の細胞保管装置２２に分散させて保管し、複数の容器にそれぞれ付与された容器ＩＤに基づいて各容器を保管する細胞保管装置２２の保管先を管理するための各データ処理を実行するために用いられる保管管理装置である。
【００２６】
特に、サーバ装置４０は、管理者端末装置ＩＤ、管理者端末装置ＩＤに設定されたパスワード、及び管理者端末装置ＩＤを有する管理者端末装置１０のアクセス権限等を管理しつつ、
（３Ａ−１）記録媒体読取装置１１によって読み取られた、複数の容器にそれぞれ付与された容器ＩＤ及び該容器ＩＤが付与された容器に入れられた細胞の保管環境条件に関する細胞保管環境条件等の情報を管理者端末装置１０から受信し、
（３Ａ−２）複数の容器の容器ＩＤに対して容器群ＩＤを設定し、
（３Ａ−３）複数の容器の容器ＩＤに対して設定した容器群ＩＤ等を含む情報を、該当する管理者端末装置１０に送信し、
（３Ａ−４）各容器ＩＤと容器群ＩＤと細胞保管環境条件情報とを関連付けてデータベース４００に記録するよう制御し、
（３Ａ−５）各容器を分散してそれぞれ保管する細胞保管装置２２を決定するために、複数の容器の容器ＩＤを２以上の細胞保管装置ＩＤに割り当てる処理を実行し、
（３Ａ−６）、各容器ＩＤと容器群ＩＤと細胞保管環境条件情報とを関連付けてデータベースに記録するよう制御するとともに、容器ＩＤと、該容器ＩＤを割り当てた細胞保管装置ＩＤと、を関連付けてデータベース４００に記録するよう制御する処理を実行する、
構成を有している。
【００２７】
また、サーバ装置４０は、複数の容器をそれぞれ保管させる細胞保管装置２２の設置場所を管理者に提供するため、
（３Ｂ−１）同一の容器群ＩＤが設定された複数の容器ＩＤにそれぞれ関連付けられた細胞保管装置ＩＤに基づいて、細胞保管装置ＩＤに関連付けて記録された細胞保管装置２２の設置場所の情報をデータベース４００から読み出し、
（３Ｂ−２）各容器ＩＤと、該容器ＩＤが付与された容器を保管させる細胞保管装置２２の設置場所の情報と、を関連付けた情報を、該複数の容器の容器ＩＤ等の情報を送信した管理者端末装置１０に送信する、
処理を実行する構成を有している。
【００２８】
さらに、サーバ装置４０は、細胞保管端末装置ＩＤ、細胞保管端末装置ＩＤに設定されたパスワード、細胞保管端末装置ＩＤを有する細胞保管端末装置２０のアクセス権限、細胞保管端末装置２０の周辺に設置された細胞保管装置２２の設置場所の情報、細胞保管装置２２における細胞の保管環境条件情報、細胞保管装置２２の空き状況情報等を管理しつつ、
（３Ｃ−１）記録媒体読取装置２１によって読み取られた、細胞保管装置２２に保管しようとする容器に付与された容器ＩＤ、あるいは、細胞保管装置２２から容器を取り出した場合に、当該細胞保管装置２２に戻そうとする当該容器に付与された容器ＩＤ、及び細胞保管装置２２に付与された細胞保管装置ＩＤ等の情報を細胞保管端末装置２０から受信し、
（３Ｃ−２）データベース４００に記録された容器ＩＤと細胞保管装置ＩＤとを関連付けた情報に基づいて、細胞保管端末装置２０から受信した細胞保管装置ＩＤ、すなわち、容器ＩＤが付与された容器を保管しようとする細胞保管装置２２に付与された細胞保管装置ＩＤ、あるいは、容器ＩＤが付与された容器を戻そうとする細胞保管装置２２に付与された細胞保管装置ＩＤが、上記受信した容器ＩＤに関連付けて記録された細胞保管装置ＩＤと一致するか否かを判定し、
（３Ｃ−３）この判定の結果において、一致すると判定した場合には、容器ＩＤ及び細胞保管装置ＩＤ等の情報を送信した細胞保管端末装置２０に、容器の保管場所に問題ない旨を通知するとともに、容器ＩＤが付与された容器が、該容器ＩＤに関連付けてデータベース４００に記録された細胞保管装置ＩＤが付与された細胞保管装置２２に、保管されていること、あるいは、戻されたことを示す容器保管履歴情報を記録するよう制御し、
（３Ｃ−４）判定の結果において、一致しないと判定した場合には、容器ＩＤ及び細胞保管装置ＩＤ等の情報を送信した細胞保管端末装置２０に、容器の保管場所に問題がある旨を通知する、
等の各処理を実行する構成を有している。
【００２９】
さらに、サーバ装置４０は、同一の容器群ＩＤが設定された複数の容器ＩＤを２以上の細胞保管装置ＩＤに割り当てる処理を行なう場合には、
（３Ｄ−１）管理者端末装置１０から受信した複数の容器の細胞保管環境条件情報、及びデータベース４００に記録されている細胞保管装置２２の空き状況情報に基づいて、同一の容器群ＩＤが設定された複数の容器ＩＤを割り当て可能な細胞保管装置ＩＤを抽出し、
（３Ｄ−２）抽出した細胞保管装置ＩＤが２以上存在するか否かを判定し、
（３Ｄ−３）細胞保管装置ＩＤが２以上存在すると判定した場合には、抽出した２以上の細胞保管装置ＩＤに同一の容器群ＩＤが設定された複数の容器ＩＤを割り当て、
（３Ｄ−４）細胞保管装置ＩＤが２以上存在しないと判定した場合には、各容器を分散して保管することができない旨を管理者端末装置１０に通知する、
等の各処理を実行する構成を有している。
【００３０】
一方、サーバ装置４０は、
（３Ｅ−１）容器ＩＤ、容器から細胞を取り出して培養したことを示す情報、及び培養物の保管環境条件情報等の情報を細胞保管端末装置２０から受信して取得し、
（３Ｅ−２）細胞の培養物を入れた新たな容器に新たな容器ＩＤを設定し、
（３Ｅ−３）新たな容器に設定された新たな容器ＩＤと、培養物の保管環境条件情報とを関連付けてデータベース４００に記録するよう制御し、
（３Ｅ−４）細胞を取り出した容器に付与された容器ＩＤと、新たな容器ＩＤと、を関連付けてデータベース４００に記録するよう制御する、
処理を実行する構成を有している。
【００３１】
このような構成により、本実施形態のシステムＳにおいては、依頼者から保管を依頼された、同種の細胞が入れられた複数の容器を、異なる施設や異なる部屋、又は同一の部屋等に設置された２以上の細胞保管装置２２、特に、細胞の保管環境条件を満たすとともに容器を保存することが可能な２以上の細胞保管装置に割り当てて分散させることができ、複数の容器にそれぞれ割り当てた細胞保管装置２２に複数の容器を正しく保存管理することができるので、自然災害、細胞保管装置２２の故障、停電等のインフラ断絶、人為的なミス等のアクシデントが発生しても同種の細胞を全て失うリスクを低減することができるようになっている。
【００３２】
また、本実施形態の細胞保管システムＳにおいては、細胞の保管環境条件を満たすとともに容器を保存することが可能な細胞保管装置２２が２以上存在しない場合には、保管場所を割り当てる際に、同種の細胞を入れた複数の容器を分散して保管することができない旨を管理者に通知するので、管理者は、同種の細胞を入れた複数の容器の受け入れ時に、分散管理ができないことを把握することができるようになっている。
【００３３】
さらに、本実施形態の細胞保管システムＳにおいては、細胞保管装置２２から取り出した容器を細胞保管装置２２に戻そうとする場合であっても、戻そうとする細胞保管装置２２の細胞保管装置ＩＤの適合の可否を判定するので、細胞保管装置２２から取り出した容器を元の場所に正しく戻すことができるようになっている。
【００３４】
そして、本実施形態の細胞保管システムＳにおいては、細胞保管装置２２に容器を保管する際に、又は、当該細胞保管装置２２から取り出した容器を細胞保管装置２２に戻す際に、その旨をデータベース４００に容器保管履歴情報として記録するので、管理者及び作業者は、複数の容器が分散されて保管されていることを確認できるとともに、容器がどの細胞保管装置２２に保管されているのか、及び、いつ保管されたのか、あるいは、いつ戻されたのかを把握することができるようになっている。
【００３５】
なお、細胞保管システムＳは、依頼者が、依頼者ＩＤ等を認証することにより、これらの情報を確認したり、把握したりすることができるように、ネットワーク３０を介してサーバ装置４０にアクセス可能な、例えば、パーソナルコンピュータ（ＰＣ）等の情報通信端末装置を依頼者端末装置としてさらに備えてもよい。
【００３６】
上記に加えて、本実施形態の細胞保管システムＳにおいては、細胞が入れられた容器の容器ＩＤと、その細胞の培養物が入れられた新たな容器の新たな容器ＩＤとを関連付けて記録するので、管理者は、依頼者から保管を依頼された細胞と、その細胞の培養物、例えば、細胞の分化細胞、細胞の継代培養細胞、細胞の組織培養物等とを、紐づけて管理することができるようになっている。
【００３７】
なお、細胞の培養物が入れられた新たな容器が複数存在する場合には、依頼者から依頼された複数の容器と同様の処理を行なって、複数の新たな容器を２以上の細胞保管装置２２に分散してそれぞれ保管してもよい。また、容器から細胞の全てを取り出して培養した場合には、細胞を取り出した容器に付与された容器ＩＤを新たな容器に設定してもよい。
【００３８】
［２］管理者端末装置
次に、図２を用いて本実施形態の管理者端末装置１０の構成について説明する。なお、図２は、本実施形態の管理者端末装置１０の構成を示すブロック図である。
【００３９】
本実施形態の管理者端末装置１０は、図２に示すように、サーバ装置４０と通信を行う通信制御部１１０と、記録媒体を発行するための処理を含む種々の処理を実行する記録媒体発行処理部１４０と、管理者端末装置１０の各部を制御する管理者端末管理制御部１３０と、各部の制御に用いるＲＯＭ／ＲＡＭ１５０と、表示部１６０と、表示部１６０を制御する表示制御部１６１と、管理者の操作を入力するために用いる操作部１７０と、を有する。なお、上述の各部は、バスＢによって相互に接続され、各構成要素間におけるデータの転送が実行される。
【００４０】
通信制御部１１０は、所定のネットワークインターフェースであり、サーバ装置４０と通信回線を構築し、サーバ装置４０と種々のデータの授受を行う。
【００４１】
特に、通信制御部１１０は、記録媒体読取装置１１と連動しつつ、記録媒体読取装置１１によって読み取られた、複数の容器の容器ＩＤ及び細胞保管環境条件情報等の情報をサーバ装置４０に送信する。
【００４２】
通信制御部１１０は、サーバ装置４０への複数の容器の各容器ＩＤ及び細胞保管環境条件情報等の情報の送信に応じて、サーバ装置４０によって複数の容器に対して設定された容器群ＩＤ等の情報、及び、各容器を保管させる細胞保管装置２２の設置場所の情報、あるいは、各容器を分散して保管することができない旨の通知を、サーバ装置４０から受信する。
【００４３】
記録媒体発行処理部１４０は、通信制御部１１０と連動しつつ、ＲＯＭ／ＲＡＭ１５０に記録されているアプリを実行することによって、管理者端末装置１０の記録媒体発行処理を実現する。なお、記録媒体発行処理部１４０は、実装上、管理者端末管理制御部１３０を構成するＣＰＵ（中央処理装置）が、アプリを実行した際の機能として実現されるものであってもよい。
【００４４】
記録媒体発行処理部１４０は、サーバ装置４０及び記録媒体発行装置１２と連動し、当該サーバ装置４０が複数の容器に対して設定した容器群ＩＤ等の情報を記録した記録媒体を発行する、管理者端末装置１０の記録媒体発行処理を実行する。
【００４５】
具体的には、記録媒体発行処理部１４０は、サーバ装置４０から受信した容器群ＩＤ等の情報を記録した記録媒体を複数の容器に対して発行するように記録媒体発行装置１２に指示する。なお、この指示によって記録媒体発行装置１２は、容器群ＩＤ等の情報を記録した記録媒体を複数の容器に対して発行し、発行された記録媒体は、管理者によって複数の容器に貼り付けられる。
【００４６】
管理者端末管理制御部１３０は、主に中央演算処理装置（ＣＰＵ）によって構成され、プログラムを実行することによって、管理者端末装置１０の各部を統合制御する。具体的には、管理者端末管理制御部１３０は、管理者の操作によるログイン要求に基づいて各管理者のログイン処理、及び、その他の各種の制御を行う。
【００４７】
ＲＯＭ／ＲＡＭ１５０には、管理者端末装置１０の駆動に必要な各種のプログラムが記録されている。特に、ＲＯＭ／ＲＡＭ１５０は、各プログラムの実行中にワークエリアとして用いられる。
【００４８】
表示部１６０は、液晶素子又はＥＬ（Ｅｌｅｃｔｒｏ  Ｌｕｍｉｎｅｓｃｅｎｃｅ）素子のパネルによって構成され、表示制御部１６１において生成された画像データに基づいて所定の画像を表示するようになっている。
【００４９】
表示制御部１６１は、記録媒体発行処理部１４０又は管理者端末管理制御部１３０の制御の下、表示部１６０に所定の画像を表示させるために必要な画像データを生成し、生成した画像データを当該表示部１６０に出力するようになっている。所定の画像としては、例えば、サーバ装置４０から受信した、各容器を保管させる細胞保管装置２２の設置場所の情報、各容器を分散して保管することができない旨の通知等を示す画像を挙げることができる。
【００５０】
操作部１７０は、各種の確認ボタン、各操作指令を入力する操作ボタン、テンキー等の多数のキー及び表示部１６０上に設けられたタッチセンサにより構成され、各操作を行う際に用いられるようになっている。
【００５１】
［３］細胞保管端末装置
次に、図３を用いて本実施形態の細胞保管端末装置２０の構成について説明する。なお、図３は、本実施形態の細胞保管端末装置２０の構成を示すブロック図である。
【００５２】
本実施形態の細胞保管端末装置２０は、図３に示すように、サーバ装置４０と通信を行う通信制御部２１０と、記録媒体を発行するための処理を含む種々の処理を実行する記録媒体発行処理部２４０と、細胞保管端末装置２０の各部を制御する細胞保管端末管理制御部２３０と、各部の制御に用いるＲＯＭ／ＲＡＭ２５０と、表示部２６０と、表示部２６０を制御する表示制御部２６１と、管理者の操作を入力するために用いる操作部２７０と、を有する。なお、上述の各部は、バスＢによって相互に接続され、各構成要素間におけるデータの転送が実行される。
【００５３】
通信制御部２１０は、所定のネットワークインターフェースであり、サーバ装置４０と通信回線を構築し、サーバ装置４０と種々のデータの授受を行う。
【００５４】
特に、通信制御部２１０は、記録媒体読取装置２１と連動しつつ、記録媒体読取装置２１によって読み取られた容器ＩＤ及び細胞保管装置ＩＤ等の情報をサーバ装置４０に送信する。
【００５５】
通信制御部２１０は、サーバ装置４０への容器ＩＤ及び細胞保管装置ＩＤ等の情報の送信に応じて、容器の保管場所に問題ない旨、あるいは、容器の保管場所に問題がある旨の通知を、サーバ装置４０から受信する。
【００５６】
通信制御部２１０は、記録媒体読取装置２１と連動しつつ、記録媒体読取装置２１によって読み取られた容器ＩＤ等の情報をサーバ装置４０に送信する。また、通信制御部２１０は、操作部２７０及び細胞保管端末管理制御部２３０と連動しつつ、作業者の操作部２７０を用いた入力操作によって細胞保管端末管理制御部２３０が検知した、容器から細胞を取り出して培養したことを示す情報及び培養物の保管環境条件情報をサーバ装置４０に送信する。
【００５７】
通信制御部２１０は、サーバ装置４０への容器ＩＤ、容器から細胞を取り出して培養したことを示す情報、及び培養物の保管環境条件情報等の情報の送信に応じて、細胞の培養物を入れた新たな容器に設定された新たな容器ＩＤ、及び該培養物の保管環境条件情報等の情報をサーバ装置４０から受信する。
【００５８】
記録媒体発行処理部２４０は、通信制御部２１０と連動しつつ、ＲＯＭ／ＲＡＭ２５０に記録されているアプリを実行することによって、細胞保管端末装置２０の記録媒体発行処理を実現する。なお、記録媒体発行処理部２４０は、実装上、細胞保管端末管理制御部２３０を構成するＣＰＵ（中央処理装置）が、アプリを実行した際の機能として実現されるものであってもよい。
【００５９】
記録媒体発行処理部２４０は、通信制御部２１０、サーバ装置４０及び記録媒体発行装置２３と連動し、通信制御部２１０を介してサーバ装置４０から受信した、細胞の培養物を入れた新たな容器に設定された新たな容器ＩＤ、及び該培養物の保管環境条件情報等の情報を記録した記録媒体を発行する、細胞保管端末装置２０の記録媒体発行処理を実行する。
【００６０】
具体的には、記録媒体発行処理部２４０は、サーバ装置４０から受信した新たな容器ＩＤ等の情報を記録した記録媒体を新たな容器に対して発行するように記録媒体発行装置２３に指示する。なお、この指示によって記録媒体発行装置２３は、容器ＩＤ等の情報を記録した記録媒体を新たな容器に対して発行し、発行された記録媒体は、作業者によって新たな容器に貼り付けられる。
【００６１】
細胞保管端末管理制御部２３０は、主に中央演算処理装置（ＣＰＵ）によって構成され、プログラムを実行することによって、細胞保管端末装置２０の各部を統合制御する。具体的には、細胞保管端末管理制御部２３０は、作業者の操作によるログイン要求に基づいて各作業者のログイン処理、及び、その他の各種の制御を行う。
【００６２】
ＲＯＭ／ＲＡＭ２５０には、細胞保管端末装置２０の駆動に必要な各種のプログラムが記録されている。特に、ＲＯＭ／ＲＡＭ２５０は、各プログラムの実行中にワークエリアとして用いられる。
【００６３】
表示部２６０は、液晶素子又はＥＬ（Ｅｌｅｃｔｒｏ  Ｌｕｍｉｎｅｓｃｅｎｃｅ）素子のパネルによって構成され、表示制御部２６１において生成された画像データに基づいて所定の画像を表示するようになっている。
【００６４】
表示制御部２６１は、記録媒体発行処理部２４０又は細胞保管端末管理制御部２３０の制御の下、表示部２６０に所定の画像を表示させるために必要な画像データを生成し、生成した画像データを当該表示部２６０に出力するようになっている。所定の画像としては、例えば、サーバ装置４０から受信した、容器の保管場所に問題ない旨、あるいは、容器の保管場所に問題がある旨の通知等を示す画像を挙げることができる。
【００６５】
操作部２７０は、各種の確認ボタン、各操作指令を入力する操作ボタン、テンキー等の多数のキー及び表示部２６０上に設けられたタッチセンサにより構成され、各操作を行う際に用いられるようになっている。
【００６６】
［４］サーバ装置
次に、図４〜図６を用いて本実施形態のサーバ装置４０の構成について説明する。なお、図４は、本実施形態のサーバ装置４０の構成を示すブロック図であり、図５は、本実施形態のサーバ装置４０内の細胞保管装置データベース４０３に記録される、細胞保管装置ＩＤとその細胞保管装置ＩＤに関連付けた各種情報の一例を示す図であり、図６は、本実施形態のサーバ装置４０内の容器データベース４０４に記録される、容器ＩＤとその容器ＩＤに関連付けた各種情報の一例を示す図である。
【００６７】
本実施形態のサーバ装置４０は、図４に示すように、管理者端末装置１０の情報、複数の容器の保管を依頼した依頼者の情報、細胞保管装置２２の情報、及び複数の容器の保管情報等の各種情報が記録されるデータベース４００と、管理者端末装置１０及び細胞保管端末装置２０と通信を行う通信制御部４１０と、各種の処理を実行するデータ処理部４２０と、サーバ装置４０の各部を制御するサーバ管理制御部４３０と、各部の制御に用いるＲＯＭ／ＲＡＭ４４０と、時刻管理を行うために用いるタイマー４５０と、を有する。なお、上述の各部は、バスＢによって相互に接続され、各構成要素間におけるデータの転送が実行される。
【００６８】
通信制御部４１０は、所定のネットワークインターフェースであり、管理者端末装置１０又は細胞保管端末装置２０と通信回線を構築し、管理者端末装置１０又は細胞保管端末装置２０と種々のデータの授受を行う。
【００６９】
例えば、通信制御部４１０は、記録媒体読取装置１１によって読み取られた複数の容器の容器ＩＤ等の情報を管理者端末装置１０から受信し、複数の容器の容器ＩＤ等の情報を取得する。また、通信制御部４１０は、記録媒体読取装置２１によって読み取られた、細胞保管装置２２に保管しようとする容器に付与された容器ＩＤ等の情報を細胞保管端末装置２０から受信し、細胞保管装置２２に保管しようとする容器に付与された容器ＩＤ等の情報を取得する。さらに、通信制御部４１０は、細胞保管装置２２から容器を取り出した場合に、当該細胞保管装置２２に戻そうとする当該容器に付与された容器ＩＤ等の情報を細胞保管端末装置２０から受信し、細胞保管装置２２に戻そうとする容器に付与された容器ＩＤ等の情報を取得する。また、通信制御部４１０は、容器ＩＤ及び容器から細胞を取り出して培養したことを示す情報等の情報を細胞保管端末装置２０から受信し、容器ＩＤ及び容器から細胞を取り出して培養したことを示す情報等の情報を取得する。なお、本実施形態の通信制御部４１０は、例えば、本発明の、容器識別情報取得手段、保管容器識別情報取得手段、培養情報取得手段等を構成する。
【００７０】
データベース４００は、例えば、ＨＤＤ（Ｈａｒｄ  Ｄｉｓｋ  Ｄｒｉｖｅ）等により構成され、端末装置データベース（以下、「端末装置ＤＢ」と略す。）４０１、依頼者データベース（以下、「依頼者ＤＢ」と略す。）４０２、細胞保管装置データベース（以下、「細胞保管装置ＤＢ」と略す。）４０３、及び、容器データベース（以下、「容器ＤＢ」と略す。）４０４を有する。
【００７１】
端末装置ＤＢ４０１は、サーバ装置４０が各種ネットワークサービスを提供する各管理者端末装置１０及び各細胞保管端末装置２０の情報を管理するための各種情報が記録されるデータベースである。例えば、端末装置ＤＢ４０１には、各管理者端末装置１０又は各細胞保管端末装置２０に対応する管理者端末装置ＩＤ又は細胞保管端末装置ＩＤと、各管理者端末装置ＩＤ又は各細胞保管端末装置ＩＤに設定されたパスワード、各管理者端末装置ＩＤ又は各細胞保管端末装置ＩＤを有する管理者端末装置１０又は細胞保管端末装置２０のアクセス権限と、が対応付けて記録される。
【００７２】
依頼者ＤＢ４０２は、複数の容器の保管を依頼した依頼者の情報が記録されるデータベースである。例えば、依頼者ＤＢ４０２には、各依頼者に対応する依頼者の識別情報（以下、「依頼者ＩＤ」という。）と、依頼者の名称又は名前を示す依頼者名情報と、依頼者の所在地の情報と、依頼者の連絡先情報と、が対応付けて記録される。
【００７３】
細胞保管装置ＤＢ４０３は、細胞保管装置２２に付与された細胞保管装置ＩＤと、その細胞保管装置ＩＤを管理するための各種情報が記録されるデータベースである。例えば、細胞保管装置ＤＢ４０３には、図５に示すように、
（１）細胞保管装置ＩＤと、
（２）細胞保管装置ＩＤが付与された細胞保管装置２２の設置場所の情報と、
（３）細胞保管装置ＩＤが付与された細胞保管装置２２における、設定温度又は実測温度、設定湿度又は実測湿度、設定ＣＯ２濃度又は実測ＣＯ２濃度等の細胞の保管環境条件情報と、
（４）細胞保管装置ＩＤが付与された細胞保管装置２２の空き状況情報と、
が対応付けて記録される。
【００７４】
容器ＤＢ４０４は、依頼者から保管を依頼された複数の容器に付与された各容器ＩＤと、その容器ＩＤを管理するための各種情報が記録されるデータベースである。例えば、容器ＤＢ４０４には、図６に示すように、
（１）容器ＩＤと、
（２）容器ＩＤが付与された容器に入れられた細胞の情報と、
（３）容器ＩＤが付与された容器に入れられた細胞の保管環境条件情報と、
（４）容器ＩＤが付与された容器に設定された容器群ＩＤと、
（５）容器ＩＤが付与された容器の保管先である細胞保管装置２２に付与された細胞保管装置ＩＤ、すなわち、該容器ＩＤを割り当てた細胞保管装置ＩＤと、
（６）容器ＩＤが付与された容器に割り当てられた細胞保管装置２２に、該容器が保管されていること、あるいは、該容器が戻されたことを示す容器保管履歴情報と、
が対応付けて記録される。
【００７５】
なお、容器保管履歴情報には、容器ＩＤが付与された容器が、該容器に割り当てられた細胞保管装置２２に保管された時間情報、該細胞保管装置２２に戻された時間情報が含まれているが、容器保管履歴情報は、容器ＩＤが付与された容器に割り当てられた細胞保管装置２２に該容器が保管されていること、あるいは、該容器が戻されたことを示す情報だけであってもよいし、容器ＩＤが付与された容器に割り当てられた細胞保管装置２２に該容器が保管されていることを示す情報、あるいは、その情報と、容器ＩＤが付与された容器が該容器に割り当てられた細胞保管装置２２に保管された時間情報だけであってもよい。
【００７６】
データ処理部４２０は、ＲＯＭ／ＲＡＭ４４０に記録されているアプリケーションに応じて各種のデータ処理を実行する。特に、データ処理部４２０は、設定部４２１と、記録部４２２と、割当部４２３と、判定部４２４と、を含む。なお、例えば、本実施形態の設定部４２１、記録部４２２、割当部４２３、及び判定部４２４は、それぞれ本発明の割当手段、記録制御手段、判定手段、及び設定手段を構成する。
【００７７】
設定部４２１は、通信制御部４１０が複数の容器の容器ＩＤ及び細胞保管環境条件等の情報を管理者端末装置１０から受信すると、複数の容器の容器ＩＤに対して容器群ＩＤを設定する。また、設定部４２１は、複数の容器の容器ＩＤに対して設定した容器群ＩＤ等を含む情報を、通信制御部４１０を介して、複数の容器の容器ＩＤ及び細胞保管環境条件等の情報を送信した管理者端末装置１０に送信する。
【００７８】
また、設定部４２１は、通信制御部４１０が容器ＩＤ、容器から細胞を取り出して培養したことを示す情報、及び培養物の保管環境条件情報等の情報を細胞保管端末装置２０から受信して取得すると、細胞の培養物を入れた新たな容器に新たな容器ＩＤを設定する。
【００７９】
割当部４２３は、記録部４２２が各容器ＩＤと容器群ＩＤと細胞保管環境条件情報とを関連付けて容器ＤＢ４０４に記録すると、複数の容器を分散してそれぞれ保管する細胞保管装置２２を決定するために、同一の容器群ＩＤが設定された複数の容器ＩＤを２以上の細胞保管装置ＩＤに割り当てる。
【００８０】
割当部４２３における、同一の容器群ＩＤが設定された複数の容器ＩＤの２以上の細胞保管装置ＩＤへの割り当ては、特に制限されるものではないが、例えば、複数の容器を保管することができる細胞保管装置２２に付与された細胞保管装置ＩＤの数で、複数の容器の容器ＩＤを割り振って行なってもよい。より具体的には、同種の細胞が入れられた容器が５つであり、細胞保管装置２２が３つ存在する場合には、容器ＩＤ００１、容器ＩＤ００２、容器ＩＤ００３、容器ＩＤ００４、及び容器ＩＤ００５から無作為に３つを選択し、選択した順に容器ＩＤを細胞保管装置ＩＤ００１、細胞保管装置ＩＤ００２、及び細胞保管装置ＩＤ００３に割り振って割り当てる。仮に容器ＩＤ００３と容器ＩＤ００５が残った場合には、ダミーの容器ＩＤ００６を加えて３つの容器ＩＤグループを作り、無作為に３つを選択して選択した順に容器ＩＤを細胞保管装置ＩＤ００１〜ＩＤ００３に割り振って、ダミーである容器ＩＤ００６以外を細胞保管装置ＩＤに割り当てる。
【００８１】
その他、例えば、細胞保管装置ＩＤ００１→細胞保管装置ＩＤ００２→細胞保管装置ＩＤ００３→細胞保管装置ＩＤ００３→細胞保管装置ＩＤ００１→細胞保管装置ＩＤ００２→・・・のように、３つの細胞保管装置ＩＤを１セットにしてランダムに繰り返す文字列を生成して、容器ＩＤを割り当てる細胞保管装置ＩＤの順を予め設定しておき、先頭から順に容器ＩＤを割り振って行ってもよい。
【００８２】
また、割当部４２３は、同一の容器群ＩＤが設定された複数の容器ＩＤを２以上の細胞保管装置ＩＤに割り当てる処理を行なう前に、通信制御部４１０を介して管理者端末装置１０から受信した複数の容器の細胞保管環境条件情報、及び細胞保管装置ＤＢ４０３に記録されている細胞保管装置２２の空き状況情報に基づいて、同一の容器群ＩＤが設定された複数の容器ＩＤを割当可能な細胞保管装置ＩＤを抽出する。例えば、細胞保管装置ＤＢ４０３に記録されている情報を読み出し、管理者端末装置１０から受信した複数の容器の細胞保管環境条件情報における細胞保管環境条件を全て満たし、かつ、細胞保管装置２２に空きがある細胞保管装置ＩＤを抽出する。より具体的には、複数の容器の細胞保管環境条件が、温度：−９０〜−７０度、湿度：要求なし、ＣＯ２濃度：要求なしであって、図５に示すような細胞保管装置２２が設けられている場合には、割当部４２３は、同一の容器群ＩＤが設定された複数の容器ＩＤを割当可能な細胞保管装置ＩＤとして、００１、００５、００６、００７及び００８等を抽出する。また、複数の容器の細胞保管環境条件が、温度：８０度、湿度：１００％、ＣＯ２濃度：０．０５％であって、図５に示すような細胞保管装置２２が設けられている場合には、割当部４２３は、同一の容器群ＩＤが設定された複数の容器ＩＤを割当可能な細胞保管装置ＩＤとして、００１、００６及び００８等を抽出する。
【００８３】
そして、割当部４２３は、抽出した細胞保管装置ＩＤが２以上存在するか否かを判定する。割当部４２３は、細胞保管装置ＩＤが２以上存在すると判定した場合には、抽出した２以上の細胞保管装置ＩＤに同一の容器群ＩＤが設定された複数の容器ＩＤを割り当てる。一方、割当部４２３は、細胞保管装置ＩＤが２以上存在しないと判定した場合には、各容器を分散して保管することができない旨を、通信制御部４１０を介して管理者端末装置１０に通知する。
【００８４】
判定部４２４は、通信制御部４１０が細胞保管端末装置２０から容器ＩＤ及び細胞保管装置ＩＤ等の情報を受信すると、容器ＤＢ４０４に記録された容器ＩＤと細胞保管装置ＩＤとを関連付けた情報を読み出し、細胞保管端末装置２０から受信した細胞保管装置ＩＤ、すなわち、容器ＩＤが付与された容器を保管しようとする細胞保管装置２２に付与された細胞保管装置ＩＤ、あるいは、容器ＩＤが付与された容器を戻そうとする細胞保管装置２２に付与された細胞保管装置ＩＤが、細胞保管端末装置２０から受信した容器ＩＤに関連付けて記録された細胞保管装置ＩＤと一致するか否かを判定する。
【００８５】
判定部４２４は、一致すると判定した場合には、容器ＩＤ及び細胞保管装置ＩＤ等の情報を送信した細胞保管端末装置２０に、通信制御部４１０を介して容器の保管場所に問題ない旨を通知する。一方、判定部４２４は、一致しないと判定した場合には、容器ＩＤ及び細胞保管装置ＩＤ等の情報を送信した細胞保管端末装置２０に、通信制御部４１０を介して容器の保管場所に問題がある旨を通知する。
【００８６】
記録部４２２は、通信制御部４１０が管理者端末装置１０から受信した複数の容器の容器ＩＤ及び細胞保管環境条件等の情報と、設定部４２１が複数の容器の容器ＩＤに対して設定した容器群ＩＤとに基づいて、各容器ＩＤと容器群ＩＤと細胞保管環境条件情報とを関連付けて容器ＤＢ４０４に記録する。
【００８７】
記録部４２２は、容器ＩＤと、割当部４２３が該容器ＩＤを割り当てた細胞保管装置ＩＤと、を関連付けて容器ＤＢ４０４に記録する。また、記録部４２２は、同一の容器群ＩＤが設定された複数の容器ＩＤにそれぞれ関連付けられた細胞保管装置ＩＤに基づいて、細胞保管装置ＩＤに関連付けて記録された細胞保管装置２２の設置場所の情報を細胞保管装置ＤＢ４０３から読み出す。そして、記録部４２２は、複数の容器をそれぞれ保管させる細胞保管装置２２の設置場所を管理者に提供するため、各容器ＩＤと、該容器ＩＤが付与された容器を保管させる細胞保管装置２２の設置場所の情報と、を関連付けた情報を、複数の容器の容器ＩＤ及び細胞保管環境条件等の情報を送信した管理者端末装置１０に通信制御部４１０を介して送信する。
【００８８】
記録部４２２は、判定部４２４が一致すると判定した場合には、容器ＩＤが付与された容器が、該容器ＩＤに関連付けて記録された細胞保管装置ＩＤが付与された細胞保管装置２２に、保管されていること、あるいは、戻されたことを示す容器保管履歴情報を記録する。
【００８９】
記録部４２２は、設定部４２１が細胞の培養物を入れた新たな容器に新たな容器ＩＤを設定すると、設定部４２１が設定した新たな容器ＩＤと、培養物の保管環境条件情報と、を関連付けて容器ＤＢ４０４に記録する。また、記録部４２２は、細胞を取り出した容器に付与された容器ＩＤ、すなわち、通信制御部４１０が細胞保管端末装置２０から受信した容器ＩＤと、新たな容器ＩＤと、を関連付けて容器ＤＢ４０４に記録する。そして、記録部４２２は、細胞の培養物を入れた新たな容器に設定された新たな容器ＩＤ、及び該培養物の保管環境条件情報等の情報を、容器ＩＤ、容器から細胞を取り出して培養したことを示す情報、及び培養物の保管環境条件情報等の情報を送信した細胞保管端末装置２０に、通信制御部４１０を介して送信する。
【００９０】
サーバ管理制御部４３０は、主に中央演算処理装置（ＣＰＵ）によって構成され、プログラムを実行することによって、サーバ装置４０の各部を統合制御する。具体的には、サーバ管理制御部４３０は、管理者の操作による管理者端末装置１０や作業者の操作による細胞保管端末装置２０からのログイン要求に基づいて各管理者や各作業者のログイン処理、及び、その他の各種の制御を行う。
【００９１】
ＲＯＭ／ＲＡＭ４４０には、サーバ装置４０の駆動に必要な各種のプログラムが記録されている。また、ＲＯＭ／ＲＡＭ４４０には、データ処理部４２０、及びサーバ管理制御部４３０によって実行される様々なアプリケーションが記録されている。そして、ＲＯＭ／ＲＡＭ４４０は、各プログラムの実行中にワークエリアとして用いられる。
【００９２】
タイマー４５０は、記録部４２２が容器保管履歴情報を記録する際に必要な時刻を管理するために用いられる。
【００９３】
［５］システムの動作
次に、図７〜図１３を用いて本実施形態の細胞保管システムＳにおいて実行される具体的な処理について説明する。なお、図７〜図９は、依頼者から依頼された複数の容器をそれぞれ保管する２以上の細胞保管装置２２を決定するために細胞保管システムＳにおいて実行される処理を示すフローチャートである。また、図１０及び図１１は、容器を細胞保管装置２２に保管する際又は戻す際に細胞保管システムＳにおいて実行される処理を示すフローチャートである。図１２及び図１３は、容器から取り出した細胞の培養物を管理するために細胞保管システムＳにおいて実行される処理を示すフローチャートである。
【００９４】
より具体的には、図７は、細胞保管システムＳにおいて実行される、同一の容器群ＩＤが設定された複数の容器ＩＤを２以上の細胞保管装置２２に割り当てるための処理を示すフローチャートであり、図８は、細胞保管システムＳにおいて実行される記録媒体を発行するための処理を示すフローチャートであり、図９は、細胞保管システムＳにおいて実行される画像データを出力するための処理を示すフローチャートである。
【００９５】
また、図１０は、細胞保管システムＳにおいて実行される、容器の保管場所に問題がないかどうかを判定するための処理を示すフローチャートであり、図１１は、細胞保管システムＳにおいて実行される画像データを出力するための処理を示すフローチャートである。
【００９６】
図１２は、細胞保管システムＳにおいて実行される、細胞の培養物が入れられた新たな容器に新たな容器ＩＤを設定するための処理を示すフローチャートであり、図１３は、細胞保管システムＳにおいて実行される記録媒体を発行するための処理を示すフローチャートである。
【００９７】
［５．１］細胞保管装置を決定するための処理
まず、図７〜図９を用いて本実施形態において、依頼者から依頼された複数の容器をそれぞれ保管する２以上の細胞保管装置２２を決定するために細胞保管システムＳにおいて実行される処理について説明する。本動作において、管理者端末装置１０の通信制御部１１０は、管理者が、依頼者から保管の依頼を受けた容器に設けられた記録媒体の情報を、記録媒体読取装置１１で読み取るのを待機しているものとする。なお、この処理は、依頼者から保管を依頼された複数の容器を管理者が受け付けた際に行われる。
【００９８】
この状態において、通信制御部１１０は、容器に設けられた記録媒体に記録された複数の容器の各容器ＩＤ及び細胞保管環境条件情報等の情報を記録媒体読取装置１１によって読み取ると（ステップＳ１００）、複数の容器の容器ＩＤ及び細胞保管環境条件情報等の情報をサーバ装置４０に送信する（ステップＳ１０１）。そして、管理者端末管理制御部１３０は、サーバ装置４０からのデータ受信を待機する状態に移行する。
【００９９】
次いで、サーバ装置４０において、設定部４２１は、通信制御部４１０を介して管理者端末装置１０から複数の容器の容器ＩＤ及び細胞保管環境条件等の情報を受信すると（ステップＳ２００）、複数の容器の容器ＩＤに対して容器群ＩＤを設定する（ステップＳ２０１）。そして、設定部４２１は、複数の容器の容器ＩＤに対して設定した容器群ＩＤ等を含む情報を、通信制御部４１０を介して、複数の容器の容器ＩＤ及び細胞保管環境条件情報等の情報を送信した管理者端末装置１０に送信する（ステップＳ２０２）。
【０１００】
また、記録部４２２は、通信制御部４１０を介して管理者端末装置１０から受信した複数の容器の容器ＩＤ及び細胞保管環境条件等の情報と、設定部４２１が複数の容器の容器ＩＤに対して設定した容器群ＩＤとに基づいて、各容器ＩＤと容器群ＩＤと細胞保管環境条件情報とを関連付けて容器ＤＢ４０４に記録する（ステップＳ２０３）。
【０１０１】
割当部４２３は、容器ＤＢ４０４において同一の容器群ＩＤが設定された複数の容器ＩＤに関連付けて記録された細胞保管環境条件情報を読み出すとともに、細胞保管装置ＤＢ４０３に記録されている情報を読み出し、細胞保管環境条件情報における細胞保管環境条件を全て満たし、かつ、細胞保管装置２２に空きがある細胞保管装置ＩＤを抽出する（ステップＳ２０４）。
【０１０２】
次いで、割当部４２３は、抽出した細胞保管装置ＩＤが２以上存在するか否かを判定する（ステップＳ２０５）。割当部４２３は、細胞保管装置ＩＤが２以上存在すると判定した場合には（ステップＳ２０５；Ｙｅｓ）、抽出した２以上の細胞保管装置ＩＤに同一の容器群ＩＤが設定された複数の容器ＩＤを割り当てる（ステップＳ２０６）。そして、記録部４２２は、同一の容器群ＩＤが設定された複数の容器ＩＤに、割当部４２３が各容器ＩＤを割り当てた細胞保管装置ＩＤを関連付けて容器ＤＢ４０４に記録する（ステップＳ２０７）。
【０１０３】
また、記録部４２２は、同一の容器群ＩＤが設定された複数の容器ＩＤにそれぞれ関連付けられた細胞保管装置ＩＤに基づいて、細胞保管装置ＩＤに関連付けて記録された細胞保管装置２２の設置場所の情報を細胞保管装置ＤＢ４０３から読み出し、同一の容器群ＩＤが設定された複数の容器ＩＤと、各容器ＩＤが付与された容器を保管させる細胞保管装置２２の設置場所の情報と、を関連付けた情報を、複数の容器の容器ＩＤ及び細胞保管環境条件等の情報を送信した管理者端末装置１０に通信制御部４１０を介して送信し（ステップＳ２０８）、サーバ管理制御部４３０は、本動作を終了させる。
【０１０４】
一方、割当部４２３は、細胞保管装置ＩＤが２以上存在しないと判定した場合には（ステップＳ２０５；Ｎｏ）、各容器を分散して保管することができない旨を、通信制御部４１０を介して管理者端末装置１０に通知し（ステップＳ２０９）、サーバ管理制御部４３０は、本動作を終了させる。
【０１０５】
なお、管理者端末装置１０において、通信制御部１１０が、（ステップＳ２０２）により設定部４２１が送信した複数の容器の容器ＩＤに対して設定された容器群ＩＤ等の情報を受信すると（ステップＳ１１０）、記録媒体発行処理部１４０は、同一の容器群が設定された複数の容器ＩＤに対して容器群ＩＤ等の情報を記録した記録媒体を発行するように記録媒体発行装置１２に指示し（ステップＳ１１１）、管理者端末管理制御部１３０は、本動作を終了させる。
【０１０６】
また、管理者端末装置１０において、通信制御部１１０が、（ステップＳ２０８）により記録部４２２が送信した同一の容器群ＩＤが設定された複数の容器ＩＤと、各容器ＩＤが付与された容器を保管させる細胞保管装置２２の設置場所の情報と、を関連付けた情報、あるいは、（ステップＳ２０９）により割当部４２３が送信した各容器を分散して保管することができない旨の通知をサーバ装置４０から受信すると（ステップＳ１２０）、表示制御部１６１は、その情報を表示させるために必要な画像データを生成する（ステップＳ１２１）。そして、表示制御部１６１は、画像データを表示部１６０に出力し（ステップＳ１２２）、管理者端末管理制御部１３０は、本動作を終了させる。
【０１０７】
なお、本実施形態においては、サーバ装置４０は、（ステップＳ２０２）と（ステップＳ２０８）の送信処理を別々に行うこととしているが、（ステップＳ２０７）の記録処理を行った後に、（ステップＳ２０２）と（ステップＳ２０８）の送信処理を一緒に行ってもよい。
【０１０８】
［５．２］容器を保管する際又は戻す際に実行される処理
次に、図１０及び図１１を用いて本実施形態において、容器を細胞保管装置２２で保管する際又は戻す際に細胞保管システムＳにおいて実行される処理について説明する。本動作において、細胞保管端末装置２０の通信制御部２１０は、作業者が容器に設けられた記録媒体を記録媒体読取装置２１で読み取るのを待機しているものとする。なお、この処理は、搬送された容器を細胞保管装置２２に保管する際、又は細胞保管装置２２から取り出した容器を細胞保管装置２２に戻す際に行われる。
【０１０９】
この状態において、通信制御部２１０は、容器に設けられた記録媒体に記録された容器ＩＤ及び細胞保管装置ＩＤ等の情報を記録媒体読取装置２１によって読み取ると（ステップＳ３００）、容器ＩＤ及び細胞保管装置ＩＤ等の情報をサーバ装置４０に送信する（ステップＳ３０１）。そして、細胞保管端末管理制御部２３０は、サーバ装置４０からのデータ受信を待機する状態に移行する。
【０１１０】
次いで、サーバ装置４０において、判定部４２４は、通信制御部４１０を介して細胞保管端末装置２０から容器ＩＤ及び細胞保管装置ＩＤ等の情報を受信すると（ステップＳ２１０）、容器ＤＢ４０４に記録された容器ＩＤと細胞保管装置ＩＤとを関連付けた情報を読み出し、細胞保管端末装置２０から受信した細胞保管装置ＩＤが、細胞保管端末装置２０から受信した容器ＩＤに関連付けて記録された細胞保管装置ＩＤと一致するか否かを判定する（ステップＳ２１１）。
【０１１１】
判定部４２４は、一致すると判定した場合には（ステップＳ２１１；Ｙｅｓ）、通信制御部４１０を介して容器ＩＤ及び細胞保管装置ＩＤ等の情報を送信した細胞保管端末装置２０に、容器の保管場所に問題ない旨を通知する（ステップＳ２１２）。そして、記録部４２２は、容器ＩＤが付与された容器が、該容器ＩＤに関連付けて記録された細胞保管装置ＩＤが付与された細胞保管装置２２に、保管されていること、あるいは、戻されたことを示す容器保管履歴情報を記録し（ステップＳ２１３）、サーバ管理制御部４３０は、本動作を終了させる。
【０１１２】
一方、判定部４２４は、一致しないと判定した場合には（ステップＳ２１１；Ｎｏ）、通信制御部４１０を介して容器ＩＤ及び細胞保管装置ＩＤ等の情報を送信した細胞保管端末装置２０に、容器の保管場所に問題がある旨を通知し（ステップＳ２１４）、サーバ管理制御部４３０は、本動作を終了させる。
【０１１３】
なお、細胞保管端末装置２０において、通信制御部２１０が、（ステップＳ２１２）により判定部４２４が送信した容器の保管場所に問題ない旨の通知、あるいは、（ステップＳ２１４）により判定部４２４が送信した容器の保管場所に問題がある旨の通知を受信すると（ステップＳ３１０）、表示制御部２６１は、その通知情報を表示させるために必要な画像データを生成する（ステップＳ３１１）。そして、表示制御部２６１は、画像データを表示部２６０に出力し（ステップＳ３１２）、細胞保管端末管理制御部２３０は、本動作を終了させる。
【０１１４】
［５．３］培養物を管理するための処理
次に、図１２及び図１３を用いて本実施形態において、容器から取り出した細胞の培養物を管理するために細胞保管システムＳにおいて実行される処理について説明する。本動作において、細胞保管端末装置２０の通信制御部２１０は、作業者の操作部２７０を用いた入力操作によって、細胞保管端末管理制御部２３０が容器から細胞を取り出して培養したことを示す情報及び培養物の保管環境条件情報の入力を検知し、さらに、作業者が容器に設けられた記録媒体を記録媒体読取装置２１で読み取るのを待機しているものとする。なお、この処理は、細胞保管装置２２から容器を取り出し、その容器から細胞を取り出して培養した際に行われる。
【０１１５】
この状態において、通信制御部２１０は、細胞保管端末管理制御部２３０が、作業者の操作部２７０を用いた入力操作によって、容器から細胞を取り出して培養したことを示す情報及び培養物の保管環境条件情報の入力を検知し（ステップＳ３２０）、容器に設けられた記録媒体に記録された容器ＩＤ等の情報を記録媒体読取装置２１によって読み取ると（ステップＳ３２１）、容器ＩＤ、容器から細胞を取り出して培養したことを示す情報、及び培養物の保管環境条件情報等の情報をサーバ装置４０に送信する（ステップＳ３２２）。そして、細胞保管端末管理制御部２３０は、サーバ装置４０からのデータ受信を待機する状態に移行する。
【０１１６】
次いで、サーバ装置４０において、設定部４２１は、通信制御部４１０を介して細胞保管端末装置２０から容器ＩＤ、容器から細胞を取り出して培養したことを示す情報、及び培養物の保管環境条件情報等の情報を受信して取得すると（ステップＳ２２０）、細胞の培養物を入れた新たな容器に新たな容器ＩＤを設定する（ステップＳ２２１）。そして、記録部４２２は、設定部４２１が設定した新たな容器ＩＤと、培養物の保管環境条件情報と、を関連付けて容器ＤＢ４０４に記録するとともに、容器ＩＤと新たな容器ＩＤとを関連付けて容器ＤＢ４０４に記録する（ステップＳ２２２）。
【０１１７】
次いで、記録部４２２は、細胞の培養物を入れた新たな容器に設定された新たな容器ＩＤ、及び該培養物の保管環境条件情報等の情報を、容器ＩＤ、容器から細胞を取り出して培養したことを示す情報、及び培養物の保管環境条件情報等の情報を送信した細胞保管端末装置２０に、通信制御部４１０を介して送信し（ステップＳ２２３）、サーバ管理制御部４３０は、本動作を終了させる。
【０１１８】
次いで、細胞保管端末装置２０において、通信制御部２１０が、細胞の培養物を入れた新たな容器に設定された新たな容器ＩＤ、及び該培養物の保管環境条件情報等の情報をサーバ装置４０から受信すると（ステップＳ３３０）、記録媒体発行処理部２４０は、細胞の培養物を入れた新たな容器に設定された新たな容器ＩＤ、及び該培養物の保管環境条件情報等の情報を記録した記録媒体を発行するように記録媒体発行装置２３に指示し（ステップＳ３３１）、細胞保管端末管理制御部２３０は、本動作を終了させる。
【０１１９】
なお、本実施形態においては、（ステップＳ３２０）の処理を行った後、（ステップＳ３２１）の処理を行うこととしているが、これらの処理は逆であってもよい。
【０１２０】
［６］変形例
［６．１］変形例１
上記実施形態において、サーバ装置４０内に各ＤＢを設け、管理及び制御する構成としたが、各ＤＢの管理、制御主体となるコンピュータシステムは、各々、別個なコンピュータシステムによって稼働するようにしてもよい。また、各ＤＢの管理、制御主体となるコンピュータシステムは、ネットワーク３０を介して外部に設置されていてもよい。
【０１２１】
［６．２］変形例２
上記実施形態において、細胞保管装置２２の周辺に細胞保管端末装置２０を設置することとしているが、細胞保管装置２２に細胞保管端末装置２０の機能を設けてもよい。
【０１２２】
［６．３］変形例３
上記実施形態において、記録媒体がバーコード、２次元バーコード、英数文字コード等のコードが記録されたラベルである場合について説明したが、記録媒体は、バーコード、２次元バーコード、英数文字コード等のコードが書き換え可能なラベル等であってもよい。その他、記録媒体は、例えば、ＲＡＭ、ＥＥＰＲＯＭ、ＵＶ−ＥＰＲＯＭ等のＩＣチップと、該記録媒体にアクセスする情報処理装置（ＣＰＵ）を備えるＩＣタグであってもよい。
【０１２３】
上述のような記録媒体を用いる場合には、記録媒体読取装置１１，２１としては、記録媒体に記録されている情報を書き換え可能なコードリーダーライター又はＩＣタグリーダーライターであることが好ましい。これにより、記録媒体発行装置１２，２３を設置する必要がなくなるとともに、サーバ装置４０がダウンしている場合に、記録媒体を個々のデータベースとして一時的に利用することができる。なお、記録媒体に記録される情報としては、容器ＩＤの他、依頼者ＩＤ、細胞保管環境条件情報、容器群ＩＤ、割り当てられた細胞保管装置ＩＤ、該細胞保管装置ＩＤの設置場所の情報、容器保管履歴情報等を挙げることができ、これらの情報がそれぞれ関連付けて記録される。
【０１２４】
［６．４］変形例４
上記実施形態において、表示制御部１６１は、表示部１６０に各容器を分散して保管することができない旨の通知を示す画像を表示させるために必要な画像データを生成し、また、表示制御部２６１は、表示部２６０に容器の保管場所に問題がある旨の通知を示す画像を表示させるために必要な画像データを生成することとしているが、管理者端末装置１０や細胞保管端末装置２０は、画像の表示の代わりに警告音を出すような構成としてもよい。
【０１２５】
［６．５］変形例５
上記実施形態において、通信制御部４１０が複数の容器の容器ＩＤ及び細胞保管環境条件等の情報を管理者端末装置１０から受信した場合に、設定部４２１が複数の容器の容器ＩＤに対して容器群ＩＤを設定しているが、判定部４２４が受信した複数の容器の細胞保管環境条件情報が一致するか否かを判定し、一致すると判定した場合に設定部４２１が複数の容器の容器ＩＤに対して容器群ＩＤを設定してもよい。このように判定処理を行うことにより、同種の細胞が入れられた複数の容器の保管をより安全に行うことができる。なお、判定部４２４が一致していないと判定した場合には、管理者端末装置１０に複数の容器を分散管理できない旨を通知し、表示部２６０にその旨の通知を示す画像を表示させてもよい。
【０１２６】
［６．６］変形例６
上記実施形態において、設定部４２１が複数の容器の容器ＩＤに対して容器群ＩＤを設定しているが、同種の細胞が入れられた複数の容器にそれぞれ設けられた記録媒体に容器群ＩＤが予め記録されていてもよい。
【０１２７】
［６．７］変形例７
上記実施形態において、１台の細胞保管端末装置２０の周辺に１台の細胞保管装置２２を設けて容器を管理することとしているが、１台の細胞保管端末装置２０の周辺に複数台の細胞保管装置２２を設けて容器を管理してもよい。
【０１２８】
［６．８］変形例８
上記実施形態において、細胞保管システムＳに管理者端末装置１０とサーバ装置４０とをそれぞれ設けることとしているが、管理者端末装置１０にサーバ装置４０の機能とデータベース等の一部又は全部を設けて、管理者端末装置１０にサーバ装置４０で行った処理の一部又は全部を行わせてもよい。
【０１２９】
［６．９］変形例９
上記実施形態において、細胞保管端末管理制御部２３０が、容器から細胞を取り出して培養したことを示す情報を検知して、通信制御部２１０が、その情報をサーバ装置４０に送信することとしているが、細胞保管端末管理制御部２３０が、容器から一部又は全ての細胞を取り出して培養したことを示す情報を検知し、その情報を通信制御部２１０がサーバ装置４０に送信してもよい。これに伴い、サーバ装置４０の記録部４２２は、通信制御部４１０を介して容器から全ての細胞を取り出して培養したことを示す情報を受信し取得した場合には、細胞保管端末装置２０から送信された容器ＩＤに関連付けて容器ＤＢ４０４に記録されている容器保管履歴情報に、細胞が存在しないことを示す情報を記録してもよい。
【０１３０】
以上、本実施形態の細胞保管システムＳにおいては、依頼者から保管を依頼された、同種の細胞が入れられた複数の容器を、異なる施設や異なる部屋、又は同一の部屋等に設置された２以上の細胞保管装置２２、特に、細胞の保管環境条件を満たすとともに容器を保存することが可能な２以上の細胞保管装置に割り当てて分散させることができ、複数の容器にそれぞれ割り当てた細胞保管装置２２に複数の容器を正しく保存管理することができる。
【０１３１】
したがって、本実施形態の細胞保管システムＳにおいては、同種の細胞が保存された細胞保管装置２２を管理することができるとともに、自然災害やインフラ断絶等のアクシデントが発生しても同種の細胞を全て失うリスクを低減することができる。
【０１３２】
また、本実施形態の細胞保管システムＳにおいては、割当部４２３が、細胞の保管環境条件を満たすとともに容器を保存することが可能な細胞保管装置２２が２以上存在しないと判定した場合には、同種の細胞を入れた複数の容器を分散して保管することができない旨を管理者に通知することができるので、管理者は、同種の細胞を入れた複数の容器の受入時に、分散管理ができないことを把握することができる。
【０１３３】
さらに、本実施形態の細胞保管システムＳにおいては、細胞保管装置２２から取り出した容器を細胞保管装置２２に戻そうとする場合であっても、判定部４２４が、戻そうとする細胞保管装置２２の細胞保管装置ＩＤの適合の可否を判定するので、細胞保管装置２２から取り出した容器を元の場所に正しく戻すことができる。
【０１３４】
そして、本実施形態の細胞保管システムＳにおいては、細胞保管装置２２に容器を保管する際に、又は、当該細胞保管装置２２から取り出した容器を細胞保管装置２２に戻す際に、その旨をデータベース４００に容器保管履歴情報として記録するので、管理者及び作業者は、複数の容器が分散されて保管されていることを確認できるとともに、容器がどの細胞保管装置２２に保管されているのか、及び、いつ保管されたのか、あるいは、いつ戻されたのかを把握することができる。
【０１３５】
上記に加えて、本実施形態の細胞保管システムＳにおいては、記録部４２２が、細胞が入れられた容器の容器ＩＤと、その細胞の培養物が入れられた新たな容器の新たな容器ＩＤとを関連付けて記録するので、管理者は、依頼者から保管を依頼された細胞と、その細胞の培養物、例えば、細胞の分化細胞、細胞の継代培養細胞、細胞の組織培養物等とを、併せて管理することができる。
【符号の説明】
【０１３６】
Ｓ  …  細胞保管システム
ＢＳ  …  基地局
Ｂ  …  バス
１０  …  管理者端末装置
１１  …  記録媒体読取装置
１２  …  記録媒体発行装置
２０  …  細胞保管端末装置
２１  …  記録媒体読取装置
２２  …  細胞保管装置
２３  …  記録媒体発行装置
３０  …  ネットワーク
４０  …  サーバ装置
１１０  …  通信制御部
１３０  …  管理者端末管理制御部
１４０  …  記録媒体発行処理部
１５０  …  ＲＯＭ／ＲＡＭ
１６０  …  表示部
１６１  …  表示制御部
１７０  …  操作部
２１０  …  通信制御部
２３０  …  細胞保管端末管理制御部
２４０  …  記録媒体発行処理部
２５０  …  ＲＯＭ／ＲＡＭ
２６０  …  表示部
２６１  …  表示制御部
２７０  …  操作部
４００  …  データベース
４０１  …  端末装置ＤＢ
４０２  …  依頼者ＤＢ
４０３  …  細胞保管装置ＤＢ
４０４  …  容器ＤＢ
４１０  …  通信制御部
４２０  …  データ処理部
４２１  …  設定部
４２２  …  記録部
４２３  …  割当部
４２４  …  判定部
４３０  …  サーバ管理制御部
４４０  …  ＲＯＭ／ＲＡＭ
４５０  …  タイマー
【図１】
2019071091.tif 000003
【図２】
2019071091.tif 000004
【図３】
2019071091.tif 000005
【図４】
2019071091.tif 000006
【図５】
2019071091.tif 000007
【図６】
2019071091.tif 000008
【図７】
2019071091.tif 000009
【図８】
2019071091.tif 000010
【図９】
2019071091.tif 000011
【図１０】
2019071091.tif 000012
【図１１】
2019071091.tif 000013
【図１２】
2019071091.tif 000014
【図１３】
2019071091.tif 000015